(57)【特許請求の範囲】
【請求項１】
ペットの胴体に沿って顔側及び尻尾側に位置する前側及び後側端部を有し、全体に長方形に成形された本体部と；
前記本体部の長手方向中央よりも前側端部寄りに設けられ、ペットの排泄物を吸収する吸収体と；
前記本体部の後側端部から前側端部方向に向かってスリットを形成して左右に２分割することによって形成される２本の尻部固定用帯状部とを備え、
前記スリットは、前記吸収体に達することなく、前記本体部の後側端部から前側端部に向かって徐々に幅が狭くなるように成形され、
当該オムツの装着に際しては、前記ペットの尻尾側において前記ペットの尻部を包み込むように前記２本の帯状部の端部を互いに交差させるとともに、当該２本の帯状部の端部を前記前側端部に接着することによって前記ペットの胴体に固定することを特徴とするペット用オムツ。
【請求項２】
前記２本の帯状部の各々の端部には、前記本体部の長手方向と平行に延びる接着テープが設けられていることを特徴とする請求項１に記載のペット用オムツ。
【請求項３】
前記本体部の前側端部には、前記本体部の長手方向と直交する幅方向に延びる２本の接着テープが設けられており、これら接着テープが前記２本の帯状部と各々接着することを特徴とする請求項１に記載のペット用オムツ。
【請求項４】
前記本体部は、ペットの肌に接する液透過性の表面シートと、当該表面シートの反対側の液不透過性の裏面シートとを有し、
前記表面シートの少なくともペットの肌側（内側）の面が不織布で構成され、前記裏面シートの少なくとも外表面が不織布で構成されていることを特徴とする請求項１，２又は３に記載のペット用オムツ。
【発明の詳細な説明】
【０００１】
【発明の属する技術分野】
本発明はペット用の使い捨てオムツ、生理用吸収性物品等のペット用装着物品の改良に関する。
【０００２】
【従来の技術】
従来のペット用オムツとして、オープンタイプと称され、概ね長方形状の本体部を有し、未使用状態ではフラットな姿勢のものがある。このようなタイプのオムツは、尻尾に対応する位置に穴を開けてあり、使用（装着）に際しては、その穴にペットの尻尾を通す。なお、ペットの尻尾を通す穴は、そこからの漏れを防止するために、尻尾の径に対して必要以上に大きく設計することはできない。
【０００３】
【発明が解決しようとする課題】
上記のような従来のペット用オムツにおいては、オムツの装着時にペットの尻尾を手でつかんで穴に通す必要がある。このため、ペットがオムツの装着を嫌がることが多い。また、オムツに形成された小さめの穴にペットの尻尾を通す作業をスムーズに行うことは容易ではなかった。
【０００４】
ところで、ペットの体型は様々である。従来のように、オムツの一定の位置に尻尾用の穴を形成していると、ペットによってはきちんと装着できない場合がある。その結果、オムツのずれ、排泄物の漏れが発生する。
【０００５】
本発明は上記のような状況に鑑みて成されたものであり、装着の容易なペット用オムツを提供することを目的とする。また、体型、体格の異なるペットに対しても柔軟に対応でき、フィット性に優れたペット用オムツを提供することを他の目的とする。
【０００６】
【課題を解決するための手段】
上記目的を達成するために、請求項１に記載の発明に係るペット用オムツは、ペットの胴体に沿って顔側及び尻尾側に位置する前側及び後側端部を有する本体部と；前記本体部においてペットの排泄物を吸収する吸収体と；前記本体部の後側端部を左右に２分割することによって形成される２本の帯状部とを備えている。そして、オムツの装着に際しては、前記ペットの尻尾側において前記ペットの尻部を包み込むように前記２本の帯状部の端部を互いに交差させるとともに、当該２本の帯状部の端部を前記前側端部に接着することによって前記ペットの胴体に固定する。
【０００７】
上記のように、オムツ本体の端部に形成された２本の帯状部によって、ペットの尻尾を挟み込むようにしているため、オムツ本体にはスリットを形成するだけで足り、穴を形成する必要がない。このため、ペットの尻尾を手でつかむことなく、極めて簡易にオムツの装着を行うことができる。また、帯状部を尻尾の部分で交差させており、尻尾付近に隙間ができ難いため、当該帯状部同士を固定するための接着手段を設ける必要がない。すなわち、帯状部と本体部とを接着するための２つの接着部によって、オムツをペットに固定することが可能となる。
【０００８】
請求項２に記載の発明においては、２本の帯状部の各々の端部には、前記本体部の長手方向と平行に延びる接着テープが設けられている。このため、帯状部を引き上げ、交差させた後に、前側端部に接着させることによって、ペットの胴体に対して容易にオムツを固定することができる。
【０００９】
請求項３に記載の発明においては、請求項２の場合とは逆に、前記本体部の前側端部に、前記本体部の長手方向と直交する幅方向に延びる２本の接着テープが設けられており、これら接着テープが前記２本の帯状部と各々接着する。このような構成により、請求項２の場合と同様に、ペットの胴体に対して容易にオムツを固定することができる。
【００１０】
請求項４に記載の発明においては、前記本体部の後側端部を分割する際の切り込みは、前記吸収体に達していない。このような構成により、後側端部の分割部分から尿などの排泄物が漏れ出るのを防止することができる。
【００１１】
【発明の実施の形態】
以下、本発明の実施例について、添付図面を参照して説明する。なお、本明細書の発明の名称として「オムツ」としているが、本発明はオムツ以外にも、尻尾を有するペット用の生理用吸収物品などの実用品の他に、ファッション性のある衣類等のペット用装着物品に広く適用できるものである。
【００１２】
図１は、本発明の第１の実施例にかかるペット用オムツ１０の構造を示す平面図（内側）である。図２は、ペット用オムツ１０の構造を示す平面図（外側）である。また、図３は、図１のＩ−Ｉ方向の断面図である。本実施例に係るペット用オムツは、全体に長方形をした本体部と；本体部においてペットの排泄物を吸収する吸収体１２とを備えている。図３に示すように、吸収体１２は透液性のトップシート３０と防水性のバックシート３２との間に配置されている。トップシート３０とバックシート３２は、上下の端部が幅方向に広がった砂時計型に成形されている。本実施例においては、ペットの胴体（４８）に沿って顔側及び尻尾側に位置する端部を、前側及び後側端部と称する。前側端部は図１及び図２の上側に対応し、後側端部は下側に対応する。
【００１３】
本体部の後側端部には、吸収体１２は配置されず、中央にスリット２４が形成されている。このスリット２４によって、左右２本の帯状部１６ａ，１６ｂを形成する。なお、スリット２４の長さは、吸収体１２に達しない長さとすることが重要である。吸収体１２までスリット２４が達していると、そこから尿などの排泄物が漏れてしまうためである。
【００１４】
２本の帯状部１６ａ，１６ｂの各々の端部には、本体部の長手方向と平行な方向に延びる固定テープ１４ａ，１４ｂが設けられている。固定テープ１４ａ，１４ｂとしては、例えば、メカニカルファスナーの雄側（フック）を使用することができる。
【００１５】
図２に示すように、バックシート３２側の前側端部には、固定テープ１４ａ，１４ｂに接着する接着領域２６が形成されている。接着領域２６は、固定テープ１４ａ，１４ｂの構造に対応し、メカニカルファスナーの雌側（ループ）を使用する。なお、接着領域２６には、補強用のシートを貼り合わせることが好ましい。補強用シートとしては、例えば、２軸延伸ポリプロピレンフィルムなどを使用することができる。
【００１６】
オムツ１０の装着に際しては、ペットの尻部を包み込むように２本の帯状部１６ａ，１６ｂを互いに交差させるとともに、当該２本の固定テープ１４ａ，１４ｂを接着領域２６上の部位２８ｂ，２８ａ周辺に各々接着する。
【００１７】
本実施例においては、トップシート３０として液透過性の不織布を使用し、バックシート３２としては液不透過性の素材を使用する。ここで、バックシート３２の外表面側には、フィルムのように摩擦抵抗の小さい素材ではなく、不織布のような摩擦抵抗の大きな素材を採用することが好ましい。このような構成にすることにより、２本の帯状部１６ａ，１６ｂを交差させた（重ね合わせた）時に、両者がずれにくくなり、ペットの尻尾付近のフィット性が向上する。
【００１８】
トップシート３０とバックシート３２との間において、長手方向に沿った両側部には、糸ゴムが挿入、固定され、ギャザー部２２ａ，２２ｂを形成する。同様に、前側端部と後側端部においても、ギャザー部１８，２０ａ，２０ｂが形成されている。
【００１９】
次に、本実施例に係るペット用オムツの使用方法について、図４〜図６を参照して説明する。最初に、図４に示すように、ペットの胴体４８の下側において、オムツ本体の前側半分をあてがう。その後、後側端部の帯状部１６ａ，１６ｂを引き上げ、図５に示すように、尻尾５０を左右両側から挟み込むように、且つ、尻部を包み込むように、帯状部１６ａ，１６ｂを交差させる。
【００２０】
その後、固定テープ１４ａをバックシート３２側の接着領域２６上の部位２８ｂ付近に接着する。同様に、固定テープ１４ｂをバックシート３２側の接着領域２６上の部位２８ａ付近に接着する。これにより、図６に示すように、本実施例に係るオムツ１０がペットに対して固定される。
【００２１】
図７及び図８は、本発明の第２の実施例にかかるペット用オムツの構造を示す平面図（内側及び外側）である。なお、上記第１の実施例と同一又は対応する構成要素については、同一の符号を付し、重複した説明を避ける。本実施例が上記第１の実施例と異なる点は、固定テープ１４ａ，１４ｂの位置である。すなわち、本実施例においては、固定テープ１４ａ，１４ｂは、２本の帯状部１６ａ，１６ｂの各々の側部において、本体部の長手方向と垂直は幅方向に延びている。
【００２２】
図９は、本発明の第３の実施例にかかるペット用オムツの構造を示す平面図（内側）である。なお、上記第１及び第２の実施例と同一又は対応する構成要素については、同一の符号を付し、重複した説明を避ける。本実施例が上記第１及び第２の実施例と異なる点は、固定テープ１４ａ，１４ｂの位置である。すなわち、本実施例においては、固定テープ１４ａ，１４ｂを後側端部ではなく、前側端部に設けるとともに、接着領域２６を後側端部に設けている。
【００２３】
本実施例においても、上記第１実施例と同様に、接着領域２６に補強用のシートを貼り合わせることが好ましい。
【００２４】
以上、本発明の実施の形態について説明したが、本発明はこれに限定されるものではなく、特許請求の範囲に示された技術的思想の範囲内で適宜設計変更可能であることは言うまでもない。例えば、帯状部１６ａ，１６ｂを互いに接着するための固定テープを更に備えても良い。
【００２５】
【発明の効果】
以上説明したように、本出願の請求項１に記載の発明によれば、オムツ本体の端部に形成された２本の帯状部によって、ペットの尻尾を挟み込むようにしているため、オムツ本体にはスリットを形成するだけで足り、穴を形成する必要がない。このため、ペットの尻尾を手でつかむことなく、極めて簡易にオムツの装着を行うことができる。また、帯状部の交差具合、引っ張り具合などを調整することによって、ペットの胴体及び尻部の形状、大きさ、尻尾の位置に柔軟に対応することができ、常に良好なフィット性で装着することができる。また、スリットを形成する構造であり、穴を開ける場合のように、製造時において穴に相当する部分から除去された材料が発生するようなことがない。更に、帯状部を尻尾の部分で交差させており、尻尾付近に隙間ができ難いため、当該帯状部同士を固定するための接着手段を設ける必要がない。すなわち、帯状部と本体部とを接着するための２つの接着部によって、オムツをペットに固定することが可能となる。
【００２６】
また、請求項２及び３に記載の発明によれば、ペットの胴体に対して容易にオムツを固定することが可能となる。
【００２７】
請求項４に記載の発明によれば、後側端部を分割する際の切り込みが、吸収体に達していないため、当該箇所から尿などの排泄物が漏れ出るのを防止することができる。
【図面の簡単な説明】
【図１】図１は、本発明の第１の実施例にかかるペット用オムツの構造を示す平面図（内側）である。
【図２】図２は、第１の実施例にかかるペット用オムツの構造を示す平面図（外側）である。
【図３】図３は、図１のＩ−Ｉ方向の断面図である。
【図４】図４は、第１の実施例の使用方法を示す説明図である。
【図５】図５は、第１の実施例の使用方法を示す説明図である。
【図６】図６は、第１の実施例の使用状態を示す説明図である。
【図７】図７は、本発明の第２の実施例にかかるペット用オムツの構造を示す平面図（内側）である。
【図８】図８は、本発明の第２の実施例にかかるペット用オムツの構造を示す平面図（外側）である。
【図９】図９は、本発明の第３の実施例にかかるペット用オムツの構造を示す平面図（内側）である。
【符号の説明】
１０      ペット用オムツ
１２      吸収体
１４ａ，１４ｂ      固定テープ
１６ａ，１６ｂ      帯状部
２６      接着部
４８      ペット胴体
５０      尻尾
【図１】
0004907795.tif 000002
【図２】
0004907795.tif 000003
【図３】
0004907795.tif 000004
【図４】
0004907795.tif 000005
【図５】
0004907795.tif 000006
【図６】
0004907795.tif 000007
【図７】
0004907795.tif 000008
【図８】
0004907795.tif 000009
【図９】
0004907795.tif 000010